(57)【特許請求の範囲】
【請求項１】
魚釣りに用いる釣竿を構成する竿体を連結するための構造であって、
穂先側内周面に嵌合雌部を有する竿元側竿体と、
前記嵌合雌部に嵌合固定可能な嵌合雄部を竿元側外周面に有し、前記嵌合雄部に径方向に貫通する孔が形成されている穂先側竿体とからなり、
前記竿元側竿体は、嵌合雌部に径方向に貫通する孔がさらに形成されており、前記嵌合雄部と前記嵌合雌部の孔が互いに周方向において変位する位置において、前記竿元側竿体と前記穂先側竿体とにそれぞれマーキングが施されている、釣竿の連結構造。
【請求項２】
前記穂先側竿体は、前記嵌合雄部に周方向に離れて複数の孔が形成されている、請求項１に記載の釣竿の連結構造。
【発明の詳細な説明】
【０００１】
【発明の属する技術分野】
本発明は、竿体同士を連結するための釣竿の連結構造に関する。
【０００２】
【従来の技術】
従来の釣竿は、一般に、炭素繊維強化樹脂等の素材から構成される複数の先細り筒状の竿体を順次連結して一本の釣竿として使用される。ここで、釣竿の竿体は、振出形式や並次形式と呼ばれる連結構造によって連結される。例えば、振出形式の釣竿においては、穂先側の竿体は順次竿元側の竿体内部に収納可能なように連結されている。そして、穂先側の竿体の竿元側外周面が嵌合雄部になっており、竿元側の竿体の穂先側内周面が嵌合雌部となっており、穂先側の竿体を竿元側の竿体から引きだした状態で、この嵌合雄部を嵌合雌部に嵌合させて連結して固定する。
【０００３】
【発明の解決しようとする課題】
このように従来の釣竿において竿体同士を連結して固定する場合、連結する部分（例えば、嵌合雄部と嵌合雌部）においては竿体同士が重なり合い、結果的にその部分の肉厚が２重となることになる。そして、このように竿体が重なり合い肉厚となる部分においては、当然にその部分の撓り易さは他の部分に劣ることになり、釣竿全体の連続的な撓り調子を損なう恐れがある。
【０００４】
また、竿体同士を嵌合させると、場合によっては強く嵌合させすぎて固着してしまい、その後竿体同士の連結を解除するのが困難となる場合もあった。
本発明の課題は、釣竿の撓り調子を損なうこともなく、竿体同士の固着も防止できる竿体の連結構造を提供することにある。
【０００５】
【課題を解決するための手段】
発明１の釣竿の連結構造は、魚釣りに用いる釣竿を構成する竿体を連結するための構造であって、穂先側内周面に嵌合雌部を有する竿元側竿体と、嵌合雌部に嵌合固定可能な嵌合雄部を竿元側外周面に有し、嵌合雄部に径方向に貫通する孔が形成されている穂先側竿体とからなる。また、竿元側竿体は嵌合雌部に径方向に貫通する孔がさらに形成されており、嵌合雄部と嵌合雌部の孔が互いに周方向において変位する位置において、竿元側竿体と穂先側竿体とにそれぞれマーキングが施されている。
【０００６】
この釣竿の連結構造では、竿元側竿体の嵌合雌部に穂先側竿体の嵌合雄部を嵌合させて連結して固定する。ここで、嵌合雄部には穂先側竿体を径方向に貫通する孔が形成されており、部分的にいわゆる肉盗みが施される。これにより、穂先側竿体と竿元側竿体との連結時に重なり合う部分を可及的に減少させて、竿体の部分的な撓り程度の低下を減少させる。また、嵌合雄部と嵌合雌部との接触面積を減少させて竿体同士の固着も防止でき、軽量化にも資する。
また、嵌合雄部のみではなく嵌合雌部にもそれぞれ穂先側竿体と竿元側竿体の径方向に貫通する孔が形成されており、より竿体同士の重なり合い部分を減少させることができる。そして、嵌合雄部と嵌合雌部との孔同士が同位置に重なり合うと、強度面や竿体内にゴミが入りやすい等の問題も生じ得るが、それぞれに施されているマーキングが一致するように竿元側竿体と穂先側竿体とを周方向に一致させることで、孔同士が重なり合わないようにすることができる。
【０００７】
発明２の連結構造は、発明１の構造であって、穂先側竿体は嵌合雄部に周方向に離れて複数の孔が形成されている。
この場合には、嵌合雄部に周方向に離れて複数の孔が形成されており、さらに竿体の部分的な撓り程度の低下を減少させることができる。
【００１０】
【発明の実施の形態】
［第１実施形態］
以下、本発明の第１実施形態について、図面を参照しつつ説明する。
【００１１】
本発明の第１実施形態を採用した釣竿は、図１に示すように、元竿１と、元竿１の穂先側に順次振出形式で元上竿２，中竿３，穂先竿４が連結されている。各竿体はそれぞれ炭素繊維やガラス繊維に合成樹脂を含浸させたプリプレグ素材から構成される先細り筒状部材である。
【００１２】
それぞれの竿体には所定の嵌合雄部と嵌合雌部とが形成されており、これらを嵌合させることによって各竿体は連結され固定されている。例えば、図２に示すように、元竿１と元上竿２とにおいては、元竿１の穂先側端部内周面が他の部分よりやや小径化され嵌合雌部１ａとなっており、元上竿２の竿元側端部外周面が他の部分よりやや大径化され嵌合雄部２ａとなっている。そして、それぞれの内径・外径が合致するように調整されている。
【００１３】
また、図２及び図３に示すように、この嵌合雄部２ａには、竿元側端部に至らないように軸方向中央付近において軸方向に伸び、周方向に間隔を隔てて複数の孔１０が径方向に元上竿２を貫通している。この孔１０は、例えば、芯材に所定のプリプレグ素材を巻回して焼成し、表面処理等を施して元上竿２を作成した後に形成される。
【００１４】
なお、この実施形態においては、周方向に間隔を隔てて３箇所に孔１０を設けているが、孔１０の数は任意に設定できる。例えば、図４，５に示すように、周方向に２箇所、４箇所と設けることも可能である。
【００１５】
元竿１及び元上竿２について説明したが、他の竿体との関係においても同様の連結構造を用いている。
この釣竿では、元竿１の穂先側に元上竿２を引き出し、嵌合雌部１ａに嵌合雄部２ａを嵌合させて連結して固定する。ここで、嵌合雄部２ａには元上竿２を径方向に貫通する孔１０が形成されており、部分的にいわゆる肉盗みが施される。これにより、元上竿２と元竿１との連結時に重なり合う部分（嵌合雄部２ａと嵌合雌部１ａとの重なり合い部分）を可及的に減少させて、釣竿の部分的な撓り程度の低下を減少させる。これにより、釣竿の円滑な操作が可能になる。
【００１６】
また、嵌合時における嵌合雄部２ａと嵌合雌部１ａとの接触面積が減少するので、竿体同士の固着も防止でき、脱着が容易になる。さらに軽量化にも資する。
［第２実施形態］
以下、本発明の第２実施形態について、図面を参照しつつ説明する。
【００１７】
本発明の第２実施形態を採用した釣竿の元竿１と元上竿２とにおいても、第１実施形態と同様に、元竿１の穂先側端部内周面が他の部分よりやや小径化され嵌合雌部１ａとなっており、元上竿２の竿元側端部外周面が他の部分よりやや大径化され嵌合雄部２ａとなっている。そして、それぞれの内径・外径が合致するように調整されている。
【００１８】
図６に示すように、この嵌合雄部２ａには、竿元側端部に至らないように軸方向中央付近において軸方向に伸び、周方向に間隔を隔てて複数の孔１０が径方向に元上竿２を貫通している。さらに、この嵌合雌部１ａにも、穂先側端部に至らないように軸方向中央付近において軸方向に伸び、周方向に間隔を隔てて複数の孔１０が径方向に元竿１を貫通している。
【００１９】
元竿１の穂先側端部と元上竿２の竿元側端部にはそれぞれマーキング２０が施されている。例えば、表面塗装やシール等によってマーキング２０が施されている。このマーキング２０は、元竿１の孔１０と元上竿２の孔１０とが周方向において一致しないような位置になるように、元上竿２と元竿１とにそれぞれ示されている。
【００２０】
元竿１及び元上竿２について説明したが、他の竿体との関係においても同様の連結構造を用いている。
この釣竿では、元竿１の穂先側に元上竿２を引き出し、嵌合雌部１ａに嵌合雄部２ａを嵌合させて連結して固定する。この際、マーキング２０が互いに一致するような周方向位置において連結固定する。ここでは、嵌合雄部２ａには元上竿２を径方向に貫通する孔１０が形成されており、第１実施形態と同様の作用効果を奏する。また、マーキング２０によって元上竿２の孔１０と元竿１の孔１０とが周方向において互いに一致することも防止でき、不当に嵌合力が低下したり強度が低下したりするのも防止できる。
【００２１】
［他の実施形態］
（ａ）上記実施形態に代えて、元竿１の嵌合雌部１ａ側のみに孔１０を形成してもよい。
（ｂ）上記実施形態では振出形式の嵌合連結部を説明しているが、これに代えて並継形式の連結構造に適応することも可能である。
【００２２】
【発明の効果】
本発明にかかる連結構造によれば、釣竿の撓り調子を損なうこともなく、竿体同士の固着も防止できる。
【図面の簡単な説明】
【図１】本発明の第１実施形態を採用した釣竿の全体図。
【図２】図１の釣竿の元竿１と元上竿２との連結部分を示した図。
【図３】図２のIII―III断面図。
【図４】他の実施形態の図３に相当する図。
【図５】他の実施形態の図３に相当する図。
【図６】本発明の第２実施形態を採用した釣竿の図２に相当する図。
【符号の説明】
１  元竿
１ａ  嵌合雌部
２  元上竿
２ａ  嵌合雄部
１０  孔
２０  マーキング
【図１】
0004518455.tif 000002
【図２】
0004518455.tif 000003
【図３】
0004518455.tif 000004
【図４】
0004518455.tif 000005
【図５】
0004518455.tif 000006
【図６】
0004518455.tif 000007